(57)【特許請求の範囲】
【請求項１】
建物に固定される固定片と、固定片の下端から前方に向かって下り傾斜して形成される傾斜片と、傾斜片の前端から下方に向かって突出して形成される垂下片とを有して土台水切りを形成し、傾斜片の下側で且つ垂下片の裏面側の空間において光源を土台水切りに着脱可能に設けて成ることを特徴とする照明付き土台水切り。
【請求項２】
前記光源をタイマによる時間計測又はセンサによる検知により点灯又は消灯自在に形成して成ることを特徴とする請求項１に記載の照明付き土台水切り。
【発明の詳細な説明】
【技術分野】
【０００１】
本発明は、建物の土台の防水を図るための土台水切りの改良に関するものである。
【背景技術】
【０００２】
従来より、建物の土台の防水を図るために土台水切りを設けることが行われているが（例えば、特許文献１参照）、このような土台水切りに光源を設けて建物の周辺を照明するものはなかった。従って、建物の周辺が暗い場合、特に夜間では、建物の周辺を歩行する際の安全性、防犯性、建物の外観が低いという問題があった。
【特許文献１】実開平０５−０９６２１５号公報
【発明の開示】
【発明が解決しようとする課題】
【０００３】
本発明は上記の点に鑑みてなされたものであり、建物の周辺を照明することにより歩行時の安全性、防犯性、建物の外観を向上させることができる照明付き土台水切りを提供することを目的とするものである。
【課題を解決するための手段】
【０００４】
本発明の請求項１に係る照明付き土台水切りＡは、建物に固定される固定片１と、固定片１の下端から前方に向かって下り傾斜して形成される傾斜片２と、傾斜片２の前端から下方に向かって突出して形成される垂下片３とを有して土台水切り４を形成し、傾斜片２の下側で且つ垂下片３の裏面側の空間において光源５を土台水切り４に着脱可能に設けて成ることを特徴とするものである。
【０００６】
本発明の請求項２に係る照明付き土台水切りＡは、請求項１において、前記光源５をタイマによる時間計測又はセンサによる検知により点灯又は消灯自在に形成して成ることを特徴とするものである。
【発明の効果】
【０００７】
請求項１に係る発明では、光源５により外壁の周辺を照明することができ、歩行時の安全性、防犯性、建物の外観を向上させることができるものである。しかも、光源５は傾斜片２や垂下片３で覆われているため、雨水がかかりにくくなり、雨水による光源５の破損や故障を防止することができるものである。また、光源５を土台水切り４と連続する一体的な外観とすることができ、外観を向上させることができるものである。
【０００８】
また、光源５を土台水切り４から取り外したり土台水切り４に取り付けることができ、光源５のメンテナンス性を高くすることができるものである。
【０００９】
請求項２に係る発明は、光源５をタイマやセンサにより自動的に点灯や消灯を行うことができ、光源５の無駄な点灯を防止して経済性を高めることができると共に、センサによる人感等により防犯性を高めることができるものである。
【発明を実施するための最良の形態】
【００１０】
以下、本発明を実施するための最良の形態を説明する。
【００１１】
本発明の照明付き土台水切りＡは、土台水切り４と光源５とを備えて形成されている。土台水切り４は板金加工品やアルミニウム成形品や樹脂成形品などで水平方向に長尺に形成されるものである。また、土台水切り４は、図２（ａ）に示すように、矩形板状の固定片１の下端に傾斜片２を形成し、傾斜片２の前端に垂下片３を設け、さらに固定片１の下側に光源保持部１０を一体的に設けて形成されるものである。上記の傾斜片２は固定片１の下端から前方に向かって下り傾斜して形成されるものであり、上記の垂下片３は傾斜片２の前端から下方に向かって突出して形成されるものである。また、上記の光源保持部１０は傾斜片２の下側で且つ垂下片３の裏面側に形成される空間に設けられている。図２（ａ）に示すものでは、光源保持部１０は板状に形成されており、傾斜片２の下面に突出して垂下片３と対向配置されている。
【００１２】
図３に本発明で使用する光源５を示す。この光源５は、ＬＥＤなどの光源部材１３と筒状の組込体１４とでユニットとして形成されるものであり、組込体１４の下面に複数の光源部材１３が並設されている。また、組込体１４の内部空間は光源部材１３の給電配線などを通すための配線空間１５として形成されている。また、複数の組込体１４、１４…を隣接させてコネクタにより連結可能に形成しても良い。
【００１３】
そして、本発明の照明付き土台水切りＡは、上記の土台水切り４の光源保持部１０に光源５を取り付けて保持することにより形成することができる。ここで、光源５はその裏面（屋内側面）を光源保持部１０の表面（屋外側面）に接着することにより保持されている。
【００１４】
図１（ａ）（ｂ）に本発明の照明付き土台水切りＡを施工した状態を示す。本発明の照明付き土台水切りＡは基礎１６の上に設けた土台１７に取り付けることができる。この場合、土台水切り４の固定片１を土台１７の屋外面にビス等で固定することができる。また、光源部材１３の給電配線を商用電源等に接続する。このように照明付き土台水切りＡを取り付けた後、外壁を形成することができる。すなわち、まず、土台１７及び柱１９等から成る壁下地の屋外側に透湿防水シート２０を配設する。このとき、土台１７の屋外面に固定した固定片１の屋外面を透湿防水シート２０の下端部で覆うようにする。次に、外壁材保持金具２１を壁下地に取り付ける。外壁材保持金具２１は固定片１を覆う透湿防水シート２０の下端部の屋外側に配置し、ビス等の固定具１８を土台１７にまで打ち込むようにして固定することができる。次に、外壁材２２を壁下地に取り付ける。外壁材２２はサイディングなどで板状のものを用いることができ、外壁材２２の下端を外壁材保持金具２１で支持しながら壁下地の屋外側に配置した後、この外壁材２２の上端も外壁材保持金具２１で壁下地に固定することができる。また、外壁材２２の下部からビス等の固定具２３を土台１７にまで打ち込むようにして外壁材２２を固定することもできる。このようにして複数枚の外壁材２２、２２…からなる建物の外壁を形成することができる。
【００１５】
そして、本発明の照明付き土台水切りＡでは、図４に示すように、光源５の光源部材１３を点灯させることによって、外壁の下部や基礎１６及び建物の周辺を光Ｓで照明することができる。従って、夜間等の歩行時に見えやすくなって安全性を高めることができ、防犯性も高めることができるものであり、さらに照明で意匠性を付与して建物の外観を向上させることができるものである。また、複数個の光源部材１３、１３…を直線状に並べることにより、直線的な光を得ることができるものである。尚、図４において、符号３０は間柱、符号３１はコーナー部材、符号３２はジョイナー、符号３３はシーリングである。また、図２（ｂ）に示すように、光源５はその裏面（屋内側面）を光源保持部１０の表面（屋外側面）に接着すると共に、光源５の表面（屋外側面）を垂下片３の裏面（屋内側面）に接着することにより保持することもでき、この場合、光源保持部１０と垂下片３の両方で光源５を強固に保持することができるものである。
【００１６】
本発明にあっては、光源保持部１０として各種の形状を採用することができる。例えば、図５（ａ）に示す土台水切り４は、下面に開口する断面略コ字状の光源保持部１０を備えるものであり、この光源保持部１０の一方の下面開口縁部が垂下片３の下端と接続片１１により接続されている。この場合、一枚の金属板を折り曲げ加工することによって、固定片１と傾斜片２と垂下片３及び接続片１１と光源保持部１０とを一体的に形成しても良いし、あるいは溶接や接着などによって、固定片１と傾斜片２と垂下片３からなる部材と接続片１１と光源保持部１０の部材とを接続するようにしても良い。また、光源保持部１０の他方の下面開口縁部には下面開口に突出する脱落防止部１２が設けられている。光源保持部１０は土台水切り４の長尺方向に全長にわたって形成することができる。そして、光源５は光源保持部１０の内側に下面開口から差し込まれ、光源保持部１０の弾性力及び脱落防止部１２による支持により、光源保持部１０の内側に保持されるものである。ここで、一つの土台水切り４に複数の光源５、５…を取り付けても良い。図５（ｂ）（ｃ）のものでは、接続片１１と光源保持部１０の一方の下面開口縁部との接続部分に、折り曲げ加工により脱落防止部１２が下面開口に突出するように形成されている。この場合、光源保持部１０の他方の下面開口縁部には脱落防止部１２を設けないようにすることができる。また、図５（ｄ）のものでは、接続片１１を設けずに、光源保持部１０の一方の下面開口縁部と垂下片３の下端とを直接接続し、光源保持部１０の他方の下面開口縁部に下面開口に突出する脱落防止部１２を設けるようにしている。図６（ａ）のものでは脱落防止部１２を脱落防止板２４で形成したものである。脱落防止板２４は矩形に形成されており、その一端が接続片１１の下面に軸部２５により枢着されている。従って、図６（ｂ）に示すように、脱落防止板２４は軸部２５を中心として略水平に回転自在に形成されている。そして、この場合、光源保持部１０の内側に光源５を嵌め込んで保持した後、光源保持部１０の下面開口を横切るように脱落防止板２４を回転させるものであり、これにより、脱落防止板２４で光源５を保持して脱落を防止することができるものである。また、光源保持部１０の下面開口を横切らないように脱落防止板２４を回転させることにより、光源保持部１０の下面開口から光源５を容易に取り外すことができる。図６（ｂ）のものでは、図５（ｄ）の脱落防止部１２に上記と同様に脱落防止板２４を軸部２５により回転自在に取り付けたものであり、脱落防止板２４により、より確実に光源５を保持することができるものである。
【００１７】
図７（ａ）に示すものは、接続片１１と接続された光源保持部１０の一方の下側開口縁部と、光源保持部１０の他方の下面開口縁部との両方に脱落防止部１２、１２が下面開口に突出するように形成されている。図７（ｂ）に示すものは、垂下片３の下端と接続された光源保持部１０の一方の下側開口縁部と、光源保持部１０の他方の下面開口縁部との両方に脱落防止部１２、１２が下面開口に突出するように形成されている。図７（ａ）（ｂ）に示すものでは、脱落防止片１２、１２の押さえ込みにより光源５を保持することができる。
【００１８】
図８（ａ）に示すものでは、一対の光源保持部１０ａ、１０ｂを前後（屋内外方向）に対向させて並べて光源保持部１０が形成されている。この場合、各光源保持部１０ａ、１０ｂは傾斜片２の下面に設けられている。また、各光源保持部１０ａ、１０ｂの下端に脱落防止部１２が対向するように突設されている。また、各光源保持部１０ａ、１０ｂの上部には略水平の位置決め部２６、２６が対向するように突設されている。ここで、光源５は、一対の光源保持部１０ａ、１０ｂの間で位置決め部２６、２６の下側の空間に下側から差し込まれ、一対の光源保持部１０ａ、１０ｂの弾性力及び脱落防止部１２による支持により、光源保持部１０に弾性的に保持されるものである。図８（ｂ）に示すものは、図８（ａ）のものと同様に、一対の光源保持部１０ａ、１０ｂを前後（屋内外方向）に対向させて並べて光源保持部１０が形成されているが、垂下片３を前側の光源保持部１０ａとして形成したものであり、垂下片３と光源保持部１０ａとを兼用するものである。尚、断面コ字状の光源保持部１０を有する土台水切り４がアルミニウムの押出成形品などの弾性の小さな成形品である場合は、光源保持部１０に側方から光源５を挿入してもよく、この場合、光源保持部１０を余り変形させずにその側面開口から光源５を挿入して保持することができる。
【００１９】
本発明において、光源５をタイマによる時間計測又はセンサによる検知により点灯又は消灯自在に形成することができる。例えば、タイマにより暗くなる時間を計測して光源５の光源部材１３を点灯するように制御し、タイマにより明るくなる時間を計測して光源５の光源部材１３を消灯するように制御することができる。また、建物に人が近づくと人感センサ等のセンサで検知して光源５の光源部材１３を点灯するように制御することができ、また、光センサ等のセンサで建物の周囲の明るさを検知して光源５の光源部材１３の点灯や消灯を制御することができる。この場合、マイクロコンピュータを備えた制御手段により光源部材１３の点灯消灯を制御することができる。また、タイマと人感センサを組み合わせ、タイマにより暗くなる時間を計測して暗い間は光源部材１３を点灯させておき、この点灯状態で人が建物に近づくと、人感センサにより検知して光源部材１３を点滅させるように制御することもできる。
【００２０】
このようにタイマやセンサによる検出結果に基づいて光源部材１３の点灯又は消灯を制御することにより、無駄な点灯を防止して経済的に有利となり、また、防犯性を高くすることができるものであり、さらに点灯や消灯の間隔等を制御することにより意匠性を高くすることができるものである。
【図面の簡単な説明】
【００２１】
【図１】（ａ）は本発明の実施の形態の一例を示す断面図、（ｂ）は一部の斜視図である。
【図２】（ａ）（ｂ）は同上の照明付き土台水切りの一例を示す断面図である。
【図３】同上の光源の一例を示す斜視図である。
【図４】同上の施工状態を示す斜視図である。
【図５】（ａ）乃至（ｄ）は同上の土台水切りの一例を示す断面図である。
【図６】（ａ）（ｃ）は同上の土台水切りの他例を示す断面図である。（ｂ）は一部を示す概略図である。
【図７】（ａ）（ｂ）は同上の土台水切りの他例を示す断面図である。
【図８】（ａ）（ｂ）は同上の土台水切りの他例を示す断面図である。
【符号の説明】
【００２２】
１  固定片
２  傾斜片
３  垂下片
４  土台水切り
５  光源
Ａ  照明付き土台水切り
【図１】
0005149636.tif 000002
【図２】
0005149636.tif 000003
【図３】
0005149636.tif 000004
【図４】
0005149636.tif 000005
【図５】
0005149636.tif 000006
【図６】
0005149636.tif 000007
【図７】
0005149636.tif 000008
【図８】
0005149636.tif 000009